(57)【要約】【課題】外壁面と竪樋との設置間隔の調整をリベットやボルト、ナット等の結合具を用いることなく、容易かつ短時間で変更可能な竪樋用控え具を提供する。【解決手段】建物外壁面５に固定される固定部２と、その固定部に接続されて竪樋６を支持する竪樋支持部３とを備えた竪樋用控え具１であって、固定部には、建物外壁面から前方に伸びて、長手方向に複数配列された被嵌合部２４を有する被連結部２２が設けられているとともに、竪樋支持部の建物外壁面側には、被連結部に対して前後方向にスライド可能に連結される連結部３２が設けられ、この連結部には、固定部の被嵌合部に嵌合する突起部４３と、その嵌合を解除させるための解除用指掛け部４２とを有する嵌合部材４が設けられているとともに、突起部が被嵌合部と嵌合するように貫通窓３７が設けられており、突起部が嵌合する嵌合部の位置を変更することにより、固定部と竪樋支持部のとの間隔を調整可能とする。【選択図】図１
2017137685.tif 000002
【特許請求の範囲】
【請求項１】
建物外壁面に固定される固定部と、その固定部に接続されて竪樋を支持する竪樋支持部とを備えた竪樋用控え具であって、
前記固定部には、前記建物外壁面から前方に伸びて、長手方向に複数配列された被嵌合部を有する被連結部が設けられているとともに、前記竪樋支持部の建物外壁面側には、前記被連結部に対して前後方向にスライド可能に連結される連結部が設けられ、
この連結部には、前記固定部の前記被嵌合部に嵌合する突起部と、その嵌合を解除させるための解除用指掛け部とを有する嵌合部材が設けられているとともに、前記突起部が前記被嵌合部と嵌合するように貫通窓が設けられており、
前記突起部が嵌合する前記嵌合部の位置を変更することにより、前記固定部と前記竪樋支持部のとの間隔を調整可能とすることを特徴とする竪樋用控え具。
【請求項２】
前記嵌合部材は、一端に前記解除用指掛け部が設けられ、他端に前記突起部が設けられた係止片が、前記連結部に設けられた支点部に対してシーソー状に動作可能に設けられ、
前記解除用指掛け部の下部には、その解除用指掛け部を上方に持ち上げるための弾性部材が設けられ、
前記突起部は、前記連結部に設けられた前記貫通窓を通して前記被嵌合部と嵌合するように設けられていることを特徴とする請求項１に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、通常、外壁面に固定する固定部とその前方に設けられた竪樋を支持する竪樋支持部が一体に形成された構造のものが用いられる。
【０００３】
ただ、建物の外壁面と竪樋との間隔は、建物の設計等により決定され、この間隔は、施工する建物によって異なるのが一般的である。
【０００４】
このため、上記従来の構造の竪樋用控え具を用いる場合には、竪樋を支持する竪樋支持部と建物の外壁面に固定する固定部が一体の構造となっているため、建物の設計に応じた外壁面と竪樋の間隔毎の複数の寸法の竪樋控え具を予め用意する必要があった。
【０００５】
また、建物の外壁面には、建物の構造又はデザイン等に伴う凹凸がある場合が多く、竪樋の取付施工においては、竪樋控え具の取付位置によって、建物の外壁面と竪樋の部分的な間隔調整が必要な場合がある。しかしながら、上記従来の構造の竪樋用控え具では、部分的な間隔調整に対応できなかったり、其々の部分に応じた間隔の竪樋控え具を複数種類用意する必要があった。
【０００６】
このような問題に対して、これまでに竪樋と外壁面との距離調整が可能な竪樋用控え具が提案されている。具体的には、例えば、竪樋の竪樋支持部と、これに連結される挿通孔を設けたスライド片と、壁面に固定される長穴を設けた固定部を備え、スライド片の挿通孔と固定部の長穴を結合具を用いて結合する構造の竪樋用控え具である（特許文献１を参照）。
【０００７】
この特許文献１の竪樋用控え具によれば、固定部に対してスライド片を所望の距離となる位置で係止部により仮留めし、スライド片の挿通孔と固定部の長穴をリベットやボルト、ナット等の結合具で結合するようにしている。そして、これにより竪樋と壁面との距離調整が可能になるとしている。
【先行技術文献】
【特許文献】
【０００８】
【特許文献１】特開２０１３−７２２４９号公報
【発明の概要】
【発明が解決しようとする課題】
【０００９】
しかしながら、上記特許文献１に記載の竪樋の控え具では、目的の間隔としてから係止部により仮留めした後にリベットやボルト、ナット等の係合具で固定するため、施工が煩雑であり、間隔の調整に時間がかかるという問題があった。
【００１０】
本発明は、上記従来の問題点に鑑みてなされたものであり、外壁面と竪樋との設置間隔の調整をリベットやボルト、ナット等の結合具を用いることなく、容易かつ短時間で変更可能な竪樋用控え具を提供することを課題とする。
【課題を解決するための手段】
【００１１】
本発明は、上記の課題を解決するために、以下のことを特徴としている。
【００１２】
すなわち、本発明の竪樋用控え具は、建物外壁面に固定される固定部と、その固定部に接続されて竪樋を支持する竪樋支持部とを備えた竪樋用控え具であって、前記固定部には、前記建物外壁面から前方に伸びて、長手方向に複数配列された被嵌合部を有する被連結部が設けられているとともに、前記竪樋支持部の建物外壁面側には、前記被連結部に対して前後方向にスライド可能に連結される連結部が設けられ、この連結部には、前記固定部の前記被嵌合部に嵌合する突起部と、その嵌合を解除させるための解除用指掛け部とを有する嵌合部材が設けられているとともに、前記突起部が前記被嵌合部と嵌合するように貫通窓が設けられており、前記突起部が嵌合する前記嵌合部の位置を変更することにより、前記固定部と前記竪樋支持部のとの間隔を調整可能とすることを特徴とする。
【発明の効果】
【００１３】
本発明によれば、外壁面と竪樋との設置間隔の調整をリベットやボルト、ナット等の結合具を用いることなく、容易かつ短時間で変更可能な竪樋用控え具を提供することができる。
【図面の簡単な説明】
【００１４】
【図１】本発明の竪樋用控え具の一実施形態を示した概略斜視図である。
【図２】固定部の一実施形態を示した概略斜視図である。
【図３】嵌合部材の一実施形態を示した概略斜視図である。
【図４】固定部と被連結部の嵌合状態を示し、（Ａ）は嵌合した状態を示した概略断面図であり、（Ｂ）は嵌合を解除した状態を示した概略断面図である。
【図５】嵌合部材の他の実施形態を示した概略断面図である。
【発明を実施するための形態】
【００１５】
本発明の竪樋用控え具について、図面に基づいて以下に詳述する。図１は、本発明の竪樋用控え具の一実施形態を示した概略斜視図である。
【００１６】
図１に示すように、竪樋用控え具１は、建物外壁面５に固定される固定部２と、その固定部２に接続されて竪樋６を支持する竪樋支持部３とを備えている。
【００１７】
固定部２には、図２にも示したように、建物外壁面５から前方に伸びて、長手方向に複数配列された被嵌合部２４を備えた被連結部２２が設けられ、竪樋支持部３の建物外壁面５側には、被連結部２２に対して前後方向にスライド可能に連結される連結部３２が設けられている。
【００１８】
連結部３２には、図３にも示したように、固定部２に形成された被嵌合部２４に嵌合する突起部４３とともに、その突起部４３と被嵌合部２４との嵌合を解除させるための解除用指掛け部４２とを備えた嵌合部材４が設けられている。また、突起部４３は、連結部３２に設けられた貫通窓３７を通して被嵌合部２４と嵌合するように設けられている。
【００１９】
固定部２は、建物外壁面５に固定される部材である。固定部２の建物外壁面５側の後面部２１には、ねじ２５等により建物外壁面５に固定するためのねじ留め孔２３が設けられている。また、後面部２１から前方に向けて被連結部２２が一体に設けられ、被連結部２２には、長手方向に沿って被嵌合部２４が複数配列して設けられている。
【００２０】
被嵌合部２４は、後述する連結部３２の突起部４３が嵌り込む部分であり、その形状及び深さは、少なくとも突起部４３が嵌り込む形状及び深さを有していればよく、断面凹状の形状であっても貫通孔であっても構わない。
【００２１】
また、被嵌合部２４の配列個数及び個々の間隔は、建物外壁面５と竪樋６の間隔の段階的な調整の設定値に応じて適宜決定することができ、特に限定されるものではないが、通常、個数３〜１０個程度、間隔５〜１０ｍｍ程度が考慮される。被嵌合部２４の個数及び間隔を上記範囲とすることにより、建物外壁面５と竪樋６の間隔を細かく調整することが可能となる。
【００２２】
固定部２の材質は、屋外での経年の使用においても変形や破損が生じないものであれば特に制限されるものではなく、例えば、金属や硬質の樹脂等によって形成することができる。
【００２３】
竪樋支持部３は、竪樋６を固定して支持するとともに、被連結部２２に連結するための部材である。竪樋支持部３の前方部には竪樋６を支持固定するための把持部３１が設けられ、後方部には被連結部２２に対して前後方向にスライド可能に連結される連結部３２が設けられている。
【００２４】
把持部３１は、竪樋６を強固に固定できる構造であれば特に限定されるものではなく、竪樋６の形状や太さ等に合わせて種々の構造のものを適用することができる。具体的には、例えば、図１に示すような半円形状の金属板をヒンジ３３により開閉可能とし、留め具３４で把持できる把持部３１としたり、竪樋６の背面部に設けられた突起部４３に接続可能な形状の把持部３１とすることができる。また、種々の竪樋６の形状に対応する取付又は把持構造をアタッチメントとして連結部３２に接続できるようにすることもできる。
【００２５】
竪樋支持部３の後方部に形成された連結部３２は、固定部２の被連結部２２を前方から差し込んで収納可能な形状に成形されており、被連結部２２に連結された状態で、前後方向に摺動してスライド可能となっている。
【００２６】
また、連結部３２には嵌合部材４が設けられている。嵌合部材４は、建物外壁面５と竪樋６の間隔を所定の間隔に決定した後、被連結部２２に対する連結部３２のスライドを抑止するストッパーの役割を担う部材である。
【００２７】
嵌合部材４は、固定部２に形成された被嵌合部２４に嵌合する突起部４３と、その突起部４３と被嵌合部２４との嵌合を解除させるための解除用指掛け部４２とを備えている。
【００２８】
具体的には、図３、図４（Ａ）、図４（Ｂ）に示すように、係止片４１が、連結部３２に設けられた支点部３５に割ピン３６等により軸支され、連結部３２に対して上下方向にシーソー状に動作するように設けられている。そして、係止片４１の一端には解除用指掛け部４２が設けられ、他端には被嵌合部２４に嵌合する突起部４３が設けられている。
【００２９】
また、解除用指掛け部４２の下部には、解除用指掛け部４２を上方に持ち上げるための弾性部材としての押しばね４４が設けられている。また、突起部４３は、被嵌合部２４に嵌合する形状及び大きさとなっており、連結部３２に設けられた貫通窓３７を通して被嵌合部２４と嵌合するように設けられている。
【００３０】
すなわち、嵌合部材４は図４（Ａ）に示すように、押しばね４４によって下方から押し上げられた解除用指掛け部４２を力点とし、支点部３５との軸支部分を支点とし、突起部４３を作用点として、突起部４３が下方に押し付けられるように設けられている。そして、下方に押し付けられる突起部４３は、連結部３２に設けられた貫通窓３７を通して被嵌合部２４と嵌合し、連結部３２のスライド移動を抑止するとともに、容易に外れないように作用している。
【００３１】
また、突起部４３が被嵌合部２４と嵌合した状態において、解除用指掛け部４２を下方に押し下げることにより、図４（Ｂ）に示すように、係止片４１は支点部３５との軸支部分を支点としてシーソー状に動作し、突起部４３が上方に持ち上がる。これにより突起部４３と被嵌合部２４との嵌合は解除され、固定部２に対しする竪樋支持部３の前後方向のスライド移動が可能となり、容易に建物外壁面５と竪樋６の間隔を変更、調整することが可能となる。
【００３２】
竪樋支持部３及び嵌合部材４の材質は、屋外での経年の使用においても変形や破損が生じないものであれば特に制限されるものではなく、例えば、金属や硬質の樹脂等によって形成することができる。
【００３３】
上記の構成を有する本発明の竪樋用控え具１によれば、建物外壁面５と竪樋６との設置距離に応じて、建物外壁面５と竪樋６との設置間隔の調整をリベットやボルト、ナット等の結合具を用いることなく、容易かつ短時間で最適な間隔に設定、変更することができる。
【００３４】
そして、以上の実施形態の竪樋用控え具１によって、建物外壁面５に沿って竪樋６を以下の手順により固定する。
【００３５】
竪樋６を設置する建物外壁面５に、その長さ方向の所定箇所毎に、複数の竪樋用控え具１を直列に設置する。竪樋用控え具１の設置では、まず、建物外壁面５に対して固定部２をねじ２５等により固定設置する。
【００３６】
次に、固定部２の前方から、嵌合部材４の解除用指掛け部４２を下方に押し下げて突起部４３を上方に持ち上げた状態で竪樋支持部３の連結部３２を固定部２の被連結部２２に差し込み、建物外壁面５と竪樋６が所定の間隔となる位置にスライドして間隔を決定する。そして、その位置で解除用指掛け部４２を離して固定部２の被嵌合部２４と突起部４３を嵌合させる。
【００３７】
次に、竪樋６が地面に対して垂直になるように竪樋支持部３の把持部３１に竪樋６を配置して、容易に外れないように把持させる。このような竪樋支持部３による竪樋６の把持を設置した複数の竪樋用控え具１について順次行うことにより竪樋６の設置施工を行うことができる。
【００３８】
なお、竪樋６の把持において、部分的に建物と竪樋６の間隔を調整する場合には、その部分の竪樋用控え具１の解除用指掛け部４２を下方に押し下げて突起部４３を上方に持ち上げ、連結部３２をスライドさせることにより容易に間隔の調整を行うことができる。
【００３９】
以上、本発明の竪樋用控え具１を一実施形態に基づいて説明したが、本発明は上記の実施形態に限定されるものではなく、その要旨を逸脱しない範囲内において種々の変形、変更が可能である。
【００４０】
例えば、図２に示す実施形態の固定部２では、被嵌合部２４の形状を矩形形状としたが、突起部４３が嵌り込む形状であれば限定されるものではなく、例えば、円形としたり、長手方向に対して直角方向に細長いスリット状の矩形形状とすることができる。細長いスリット状の矩形形状とすることにより、被嵌合部２４を長手方向に数多く設けることができ、より微細な間隔調整を行うことが可能となる。
【００４１】
また、上記実施形態では、連結部３２に設けられた支点部３５に対して係止片４１を割ピン３６等により軸支して、シーソー状に動作する嵌合部材４について説明したが、図５に示すように、支点部３５自体を弾性体により一体に形成することもできる。これにより、解除用指掛け部４２の下部に、解除用指掛け部４２を上方に持ち上げるための弾性部材としての押しばね４４等を設ける必要がなくなり、より単純な構造の竪樋用控え具１とすることができる。
【００４２】
また、図示しないが、連結部３２と解除用指掛け部４２間に着脱自在に設けられた、剛体よりなる支持部材を備えてもよい。この支持部材を、被嵌合部２４と突起部４３が嵌合しているときに、連結部３２と解除用指掛け部４２間に取り付けると、解除用指掛け部４２に掛かる力が支持部材を介して連結部３２に伝わる。そのため、上記した押しばね４４や弾性体のような弾性部材に力が伝わらなくなり、物が衝突した場合にも、被嵌合部２４と突起部４３間の嵌合が外れにくくなる。
【符号の説明】
【００４３】
１  竪樋用控え具
２  固定部
２２  被連結部
２４  被嵌合部
３  竪樋支持部
３２  連結部
３５  支点部
３７  貫通窓
４  嵌合部材
４１  係止片
４２  解除用指掛け部
４３  突起部
４４  押しばね
５  建物外壁面
６  竪樋
【図１】
2017137685.tif 000003
【図２】
2017137685.tif 000004
【図３】
2017137685.tif 000005
【図４】
2017137685.tif 000006
【図５】
2017137685.tif 000007